(57)【要約】【課題】従来、光によってリラクゼーション効果を得るもの、浴用剤が発生する芳香によってリラクゼーション効果を得るものがある。また、入浴中に音楽を聴くために、スピーカが風呂場の壁に取り付けられたものがあるが、風呂場の外に音響システムが必要であり、配線工事や防水工事も含めてかなりのコストが掛かる。本発明は、このような音響システムではなく、簡易に音楽が楽しめ、しかも芳香と光の組み合わせによって、視覚、聴覚、臭覚の三つの要素によるリラクゼーション効果が得られる浴槽用リラクゼーションフロートを提供する。【解決手段】メモリに収録された音楽データに基づいて音楽を再生しスピーカから発するオーディオ装置と、電源となる充電式電池と、オーディオ装置及び充電式電池が水密状態に収納され浴槽内の湯面に浮遊する浮遊箱を備え、この浮遊箱は上部にアロマオイルの受容部を備え、スピーカによってアロマオイルの受容部の底面を振動させること。【選択図】図４
2010119562.tif 000002
【特許請求の範囲】
【請求項１】
メモリに収録された音楽データに基づいて音楽を再生しスピーカから発するオーディオ
装置と、電源となる電池と、前記オーディオ装置及び電池が水密状態に収納され浴槽内の
湯面に浮遊する浮遊箱を備え、この浮遊箱は上部にアロマオイルの受容部を備え、前記ス
ピーカによって前記アロマオイルの受容部の底面を振動させることを特徴とする浴槽用リ
ラクゼーションフロート。
【請求項２】
メモリに収録された音楽データに基づいて音楽を再生しスピーカから発するオーディオ
装置と、これの電源となる電池と、前記オーディオ装置及び電池が水密状態に収納され浴
槽内の湯面に浮遊する浮遊箱を備え、この浮遊箱は上面にアロマオイルの受容部を形成す
るカバーを備え、前記カバーには前記アロマオイルの蒸発した香気が放出される放出口を
備え、前記受容部に対応した前記浮遊箱の上面を振動させる位置に前記スピーカを配置し
たことを特徴とする浴槽用リラクゼーションフロート。
【請求項３】
複数種類の光色で発光する光源と、この光源の発光色を変化させる制御部と、メモリに
収録された音楽データに基づいて音楽を再生しスピーカから発するオーディオ装置と、こ
れらの電源となる電池と、前記光源、制御部、オーディオ装置及び電池が水密状態に収納
され浴槽内の湯面に浮遊する浮遊箱を備え、この浮遊箱の上面には、中央部に配置した前
記光源の透光部と、この透光部の周りにアロマオイルの受容部を形成する透光性カバーと
、この透光性カバーの周辺にスイッチの操作部を備え、前記透光性カバーは前記アロマオ
イルの蒸発した香気が放出される放出口を備え、前記受容部に対応した前記浮遊箱の上面
を振動させる位置に前記スピーカを配置したことを特徴とする浴槽用リラクゼーションフ
ロート。
【発明の詳細な説明】
【技術分野】
【０００１】
本発明は、浴槽内に浮遊させてアロマオイルの香気と音楽の両方によるリラクゼーショ
ン効果を得る浴槽用リラクゼーションフロートに関する。
【背景技術】
【０００２】
心身をリラックスさせるための風呂用浮遊ライトとして、浮遊タンク内の空気と水の量
を調整することによって、上下の浮遊位置を任意に調節し、浮遊タンク内の水位によって
、光反射を変化させるものがある。（特許文献１参照）。
【０００３】
また、アロマテラピー効果を得るために、容器の底部に水を溜め浴用剤を上部に収容し
、容器を浴槽内に浮かべることにより、容器内の空気が温められて容器内の圧力が高くな
り、容器の底部の水がパイプによって上昇されて浴用剤に振り掛ける。これによって浴用
剤が溶け出し、溶け出した浴用剤が浴槽の湯に流出しつつ芳香を発生するものがある。（
特許文献２参照）。
【特許文献１】特開２００２−２３７２０１号公報
【特許文献１】特開２００４−３５１１１２号公報
【発明の開示】
【発明が解決しようとする課題】
【０００４】
特許文献１のものは、光によってリラクゼーション効果を得るものであり、特許文献２
のものは、浴用剤が発生する芳香によってリラクゼーション効果を得るものである。これ
らを組み合わせても、光と浴用剤が発生する芳香によってリラクゼーション効果が得られ
るものに留まる。また、入浴中に音楽を聴くために、スピーカが風呂場の壁に取り付けら
れたものがあるが、風呂場の外に音響システムが必要であり、配線工事や防水工事も含め
てかなりのコストが掛かる。
【０００５】
本発明は、このような音響システムではなく、簡易に音楽が楽しめ、音楽と芳香との両
方によるリラクゼーション効果が得られる浴槽用リラクゼーションフロートを提供する。
更に、光と音楽と芳香の組み合わせによって、視覚、聴覚、臭覚の三つの要素によるリラ
クゼーション効果が得られる浴槽用リラクゼーションフロートを提供する。この場合、単
にこれらの要素の単独効果に留まらず、組み合わせによる相乗効果と、操作性、安全性、
低コスト化も達成できるものを提供するものである。
【０００６】
本発明は、芳香の発生源として、アロマオイルを採用することに適した浴槽用リラクゼ
ーションフロートを提供する。アロマオイルは、芳香を放つ花びらや薬草等で作った植物
性オイルとして知られており、この芳香によって心身の健康を保つ効果が期待されるもの
である。
【課題を解決するための手段】
【０００７】
第１発明の浴槽用リラクゼーションフロートは、メモリに収録された音楽データに基づ
いて音楽を再生しスピーカから発するオーディオ装置と、電源となる電池と、オーディオ
装置及び電池が水密状態に収納され浴槽内の湯面に浮遊する浮遊箱を備え、この浮遊箱は
上部にアロマオイルの受容部を備え、前記スピーカによって前記アロマオイルの受容部の
底面を振動させることを特徴とする。
【０００８】
第２発明の浴槽用リラクゼーションフロートは、メモリに収録された音楽データに基づ
いて音楽を再生しスピーカから発するオーディオ装置と、電源となる電池と、前記オーデ
ィオ装置及び電池が水密状態に収納され浴槽内の湯面に浮遊する浮遊箱を備え、この浮遊
箱は上面にアロマオイルの受容部を形成するカバーを備え、前記カバーには前記アロマオ
イルの蒸発した香気が放出される放出口を備え、前記受容部に対応した前記浮遊箱の上面
を振動させる位置に前記スピーカを配置したことを特徴とする。
【０００９】
第３発明の浴槽用リラクゼーションフロートは、複数種類の光色で発光する光源と、こ
の光源の発光色を変化させる制御部と、メモリに収録された音楽データに基づいて音楽を
再生しスピーカから発するオーディオ装置と、これらの電源となる電池と、前記光源、制
御部、オーディオ装置及び電池が水密状態に収納され浴槽内の湯面に浮遊する浮遊箱を備
え、この浮遊箱の上面には、中央部に配置した前記光源の透光部と、この透光部の周りに
アロマオイルの受容部を形成する透光性カバーと、この透光性カバーの周辺にスイッチの
操作部を備え、前記透光性カバーは前記アロマオイルの蒸発した香気が放出される放出口
を備え、前記受容部に対応した前記浮遊箱の上面を振動させる位置に前記スピーカを配置
したことを特徴とする。
【発明の効果】
【００１０】
本発明の浴槽用リラクゼーションフロートに係る第１発明は、浴槽内に浮遊させるため
の小物であるため、配線等の電気工事が不要であり、感電の心配もなく取り扱いが容易で
あり、且つ、スピーカによってアロマオイルの受容部の底面が振動することにより、アロ
マオイルの香気の発生が音楽とマッチングし、音楽とアロマオイルの香気との両方による
リラクゼーション効果が得られる。
【００１１】
また第２発明は、オーディオ装置と電池が収納された浮遊箱の上面に、カバーによって
アロマオイルの受容部が形成されるため、スピーカによってこの受容部に対応した浮遊箱
の上面を振動させることにより、アロマオイルの香気の発生が音楽の強弱に合わせて促進
され、音楽とアロマオイルの香気の両方によるリラクゼーション効果が得られる。また、
本発明の浴槽用リラクゼーションフロートは、浴槽内に浮遊させるための小物であるため
、配線等の電気工事が不要であり、感電の心配もない安全且つ取り扱いが容易である。
【００１２】
第３発明では、浮遊箱の上面には、中央部に光源の透光部、この透光部の周りにアロマ
オイルの受容部を形成する透光性カバー、この透光性カバーの外側にスイッチの操作部を
形成するため、スイッチ操作がし易く、且つ、スピーカによってこの受容部に対応した浮
遊箱の上面を振動させることにより、アロマオイルの香気の発生が音楽の強弱に合わせて
促進され、種々変わる発光色と、音楽と、アロマオイルの香気とにより、視覚、聴覚、臭
覚の三つの要素によるリラクゼーション効果が得られる。また、本発明の浴槽用リラクゼ
ーションフロートは、浴槽内に浮遊させるための小物であるため、配線等の電気工事が不
要であり、感電の心配もない安全且つ取り扱いが容易である。
【発明を実施するための最良の形態】
【００１３】
本発明は、メモリに収録された音楽データに基づいて音楽を再生しスピーカから発する
オーディオ装置と、電源となる電池と、前記オーディオ装置及び電池が水密状態に収納さ
れ浴槽内の湯面に浮遊する浮遊箱を備え、この浮遊箱は上部にアロマオイルの受容部を備
え、前記スピーカによって前記アロマオイルの受容部の底面を振動させることにより、音
楽と香気によるリラクゼーション効果が得られる浴槽用リラクゼーションフロートであり
、本発明の実施例を以下に記載する。
【実施例１】
【００１４】
図１は本発明に係る浴槽用リラクゼーションフロートの上面斜視図、図２は本発明に係
る浴槽用リラクゼーションフロートの上面図、図３は本発明に係る浴槽用リラクゼーショ
ンフロートの下面斜視図、図４は本発明に係る浴槽用リラクゼーションフロートの中央部
縦断側面図、図５は図４のスピーカ部とスイッチ部の拡大図、図６は本発明に係る浴槽用
リラクゼーションフロートのオーディオ装置のブロック図、図７は本発明に係る浴槽用リ
ラクゼーションフロートの光源とその制御部のブロック図である。
【００１５】
本発明を図に基づき説明する。１は浴槽用リラクゼーションフロートであり、メモリ２
に収録された音楽データに基づいて音楽を再生しスピーカ３から発するオーディオ装置５
０と、電源となる充電式電池４と、オーディオ装置５０及び充電式電池４が水密状態に収
納され浴槽内の湯面に浮遊する浮遊箱５を備え、この浮遊箱５は上部にアロマオイルの受
容部６を形成するカバー８を備え、スピーカ３によってアロマオイルの受容部６の底面を
振動させる構成である。これによって、アロマオイルの香気の発生が音楽の強弱に合わせ
て促進され、音楽とアロマオイルの香気により、聴覚と臭覚の要素によるリラクゼーショ
ン効果が得られるものとなる。
【００１６】
浴槽用リラクゼーションフロート１は、これに更に視覚によるリラクゼーション効果が
加えられるようにする。このため、複数種類の光色で発光する光源３３と、この光源３３
の発光色を変化させる制御部２１を備えている。これによって、光源３３が発する種々変
わる発光色と、音楽と、アロマオイルの香気とにより、視覚、聴覚、臭覚の三つの要素に
よるリラクゼーション効果が得られるものとなる。
【００１７】
以下、本発明の浴槽用リラクゼーションフロート１の具体的構成を説明する。浮遊箱５
は、浴槽内の湯面に安定した浮遊状態を保つように上面開口の略半球状の椀状をなし、仕
切り底板１０によって仕切られた内底部には、電源となる複数本の充電式電池４が電池収
容箱９に収納されている。浮遊箱５の円形状の上面開口には、モジュール化されたリラク
ゼーションユニット４０がシール材１１を介して水密状態に取り付けられている。
【００１８】
リラクゼーションユニット４０は、アロマオイルの受容部６と、光源３３及びその制御
部２１と、オーディオ装置５０を備えている。その構成は、円板状の電気絶縁性の基板１
２と、基板１２と間隔を存して上方に、アロマオイルの受容部６を上面に形成する上面板
７が配置され、基板１２の中央部には、光源３３として複数のＬＥＤ３３Ａが上面に取り
付けられた電気絶縁性の光源用基板１３が一体化するように設けられている。基板１３に
は、光源３３の駆動回路を含む制御部２１が取り付けられ、制御部２１へ充電式電池４か
らリード線２２を介して電源が供給されている。基板１２と１３は必要な電気配線がプリ
ントされたものであり、一枚の共通基板で構成したものでもよい。上面板７には上端開口
８Ａを有するドーム状のカバー８が取り付けられ、カバー８によってアロマオイルの受容
部６の外周が、上面板７の上面に区画される。カバー８から下方へ突出した脚が、上面板
７に形成した孔に嵌合して、カバー８が上面板７にシール剤でシールされた状態で水密状
態に固定される。なお、上端開口８Ａは、後述のように、受容部６に滴下されたアロマオ
イルから蒸発した香気が放出される放出口となる。
【００１９】
基板１２の上面には、左右対称位置に圧電セラミックス等のピエゾ素子１５と振動部１
６で構成されたスピーカ３が取り付けられ、ピエゾ素子１５の上面の振動部１６が受容部
６の底面に当接または近接している。このため、ピエゾ素子１５によって振動部１６が振
動し受容部６の底面が振動するため、後述のように、音楽に伴ってアロマオイルの蒸発を
促進する。このため、上面板７はスピーカ３が受容部６の底面に当接する部分が、振動し
易い薄板７Ａまたはフィルム状の薄板７Ａで形成されている。その１つの構成として、図
５に示すように、合成樹脂製の上面板７の上面に振動し易い板またはフィルム等の薄板７
Ａを貼り付け、ピエゾ素子１５の上面の振動部１６が上面板７を貫通してこの薄板７Ａに
当接または近接した構成とすることによって、ピエゾ素子１５によって振動部１６と共に
薄板７Ａが振動する。このため、薄板７Ａもスピーカ３の一部を構成する状態となる。
【００２０】
オーディオ装置５０は、メモリ２に収録された音楽データに基づいて音楽を再生しスピ
ーカ３から発するために、メモリ２に収録された音楽データは、スイッチ２８のキー操作
に応答してインターフェース１７を通して中央演算装置であるＣＰＵ１８によって読み出
され、これをＤ／Ａ変換器１９によってアナログの音楽信号に変換され、この音楽信号が
オーディオアンプ２０によって増幅された後、スピーカ３から音楽として聞こえる。
【００２１】
基板１２には、ピエゾ素子１５の他に、インターフェース１７、ＣＰＵ１８、Ｄ／Ａ変
換器１９、オーディオアンプ２０、スイッチ２８を含む後述の各スイッチ等が取り付けら
れており、これらへ充電式電池４からリード線２３を介して電源が供給されている。メモ
リ２は予め音楽データが記憶されたものが基板１２に取り付けられた形態でもよいが、入
浴する人が好みに応じた音楽を聴くことができるようにするために、任意の音楽データを
書き込んだメモリカード２Ａをカード差し込み部２４へ差し込み可能とする。カード差し
込み部２４は、浮遊箱５の側面上部に設けられ、差し込み口は防水カバー２５によって開
閉できる防水構成である。
【００２２】
光源３３であるＬＥＤ３３Ａの光が外部から見えるようにするために、光源３３に対応
する上面板７の部分は、上方へ盛り上がった透明または半透明の透光部７Ｐを形成してお
り、且つ、カバー８は透明または半透明の透光性カバーである。上方へ盛り上がった透光
部７Ｐによって、透光部７Ｐの周囲にドーナツ状のアロマオイルの受容部６が形成される
。
【００２３】
リラクゼーションユニット４０を支えるために、仕切り底板１０上に立てた支柱２６が
基板１２を支え、支柱２７が基板１３を支える。支柱２７の上端には、光源３３であるＬ
ＥＤ３３Ａの１つが取り付けられている。各ＬＥＤ３３Ａは、赤（Ｒ）、緑（Ｇ）、青（
Ｂ）の各色の光を発するＬＥＤ素子が組み込まれた構成であり、スイッチ２９のキー操作
に応答して制御部２１によって、赤（Ｒ）、緑（Ｇ）、青（Ｂ）の各色の光を発するＬＥ
Ｄ素子の発光電圧が変えられ、また、いずれのＬＥＤ素子が発光するかの選択が行なわれ
る。即ち、スイッチ２９のキー操作によって、赤（Ｒ）、緑（Ｇ）、青（Ｂ）のＬＥＤ素
子の発光モードが選択できるようになっている。
【００２４】
リラクゼーションユニット４０には、スイッチ２８、２９の他に、浴室の照明の調光用
スイッチ３０と、充電式電池４の電力をリラクゼーションユニット４０へ供給するか否か
をＯＮ−ＯＦＦする電源スイッチ３１等を備え、これらのスイッチ２８、２９、３０、３
１の操作部２８Ａ、２９Ａ、３０Ａ、３１Ａが、透光性カバー８の周辺に配置されている
。スイッチ２８、２９、３０、３１に対する防水のために、操作部２８Ａ、２９Ａ、３０
Ａ、３１Ａは、上面板７の上面に貼り付けた振動板７Ａと一体をなす薄板またはフィルム
で構成することができる。
【００２５】
上記の構成において、浴槽用リラクゼーションフロート１は、充電式電池４等の重量を
利用して、浴槽内の湯に下部が没した状態で湯面ＰＬを保った安定浮遊状態となる。浴槽
用リラクゼーションフロート１は、操作部３１Ａを押して電源スイッチ３１をＯＮするこ
とによって、予め設定された所定の状態で各ＬＥＤ３３Ａが発光し、また、オーディオ装
置５０は所定の曲、例えば第１番目の曲を流すように動作する。２つの操作部２８Ａのう
ち一方がオーディオ装置５０のボリュームに相当し、他方の操作部２８Ａが選曲に相当す
る。また、２つの操作部２９Ａのうち一方が各ＬＥＤ３３Ａの発光パターンの選択に相当
し、他方の操作部２９Ａがその発光輝度の調節に相当する。
【００２６】
オーディオ装置５０の動作によって、ピエゾ素子１５が動作し振動板７Ａの振動によっ
て音楽が再生される。このとき、受容部６にアロマオイルを滴下しておくことによって、
振動板７Ａの振動によって音楽に合わせたアロマオイルの振動が得られ、浴槽の雰囲気温
度と相俟ってアロマオイルの蒸発が促進され、蒸発した香気がドーム状カバー８の上端開
口８Ａから浴室内に放散される。オーディオ装置５０のボリュームの強弱調整は、一方の
操作部２８Ａの操作によって行ない、且つ選曲は他方の操作部２８Ａの操作によって行な
うことにより、入浴者の好みに合わせた曲と音量にすることができ、好みの音響状態で入
浴をすることができる。
【００２７】
一方の操作部２９Ａの操作によってＬＥＤ３３Ａの発光パターンを選択し、他方の操作
部２９Ａによってその発光輝度を調節することにより、好みの照明状態で入浴をすること
ができる。これは、浴室の照明の調光用スイッチ３０の操作によって、浴室内の証明の照
度を低下または消灯した状態とすることによって、より一層の効果が得られる。
【００２８】
このように、スピーカ３によってこの受容部６に対応した浮遊箱５の上面を振動させる
ことにより、アロマオイルの香気の発生が音楽の強弱に合わせて促進され、音楽と、種々
変わるＬＥＤ３３Ａの発光色と、アロマオイルの香気とにより、聴覚、視覚、臭覚の三つ
の要素によるリラクゼーション効果が得られるものとなる。また、浴槽用リラクゼーショ
ンフロート１は、浴槽内に浮遊させるための小物であるため、配線等の電気工事が不要で
あり、感電の心配もない安全且つ取り扱いが容易である。
【００２９】
なお、操作部２８Ａ、２９Ａ、３０Ａ、３１Ａは、湯面ＰＬよりも上位となる浴槽用リ
ラクゼーションフロート１の上面部に配置されるため、操作部が下部に設けられたものに
比して、スイッチ操作を行なうために浴槽用リラクゼーションフロート１を持ち上げ逆さ
まにすることもなく、スイッチ操作がし易く、且つ湯中に操作部が浸かっていないので、
防水構造も複雑化せず、比較的簡単なもので十分となる。
【００３０】
なお、充電式電池４の充電については、図４に示すように、浴槽用リラクゼーションフ
ロート１を充電スタンド４２へ設置する。この充電スタンド４２のプラグ４１が１００ボ
ルト交流電源のコンセントへ差し込まれることによって、充電スタンド４２に内蔵した送
電コイル４４から浴槽用リラクゼーションフロート１に設けた受電コイル４３に、電磁誘
導作用によって電力が伝えられ、充電式電池４の充電が行なわれる。
【実施例２】
【００３１】
図８乃至図１１は、本発明に係る浴槽用リラクゼーションフロート１の第２の実施形態
を示す。図８は浴槽用リラクゼーションフロート１の他の形態を示す中央部縦断側面図、
図９は浴槽用リラクゼーションフロート１のカバーの斜視図、図１０は浴槽用リラクゼー
ションフロート１の薄板と支持部分の斜視図、図１１は、図８に示す浴槽用リラクゼーシ
ョンフロート１の上面図である。実施例１に示した構成と同様の部分は同一符号を付して
いる。
【００３２】
浮遊箱５は、浴槽内の湯面に安定した浮遊状態を保つように上面開口の略半球状の椀状
をなし、内底部には、電源となる複数本の充電式電池４が電池収容箱９に収納されている
。電池収容箱９の上には、水平状態に基板１２が取り付けられている。浮遊箱５の円形状
の上面開口には、モジュール化されたリラクゼーションユニット４０がシール材１１を介
して水密状態に取り付けられている。
【００３３】
リラクゼーションユニット４０は、アロマオイルの受容部６と、光源３３及びその制御
部２１と、オーディオ装置５０を備えている。その構成は、浮遊箱５の円形状の上面開口
を水平状態に塞ぐように円板状の合成樹脂製支持基板３５と、支持基板３５の上側に支持
板３６が環状の支持部材３８にて水平状態に取り付けられ、支持板３６の上面には中央部
にＬＥＤ３３Ａの基板１３がその左右にスピーカ３が取り付けられている。環状の支持部
材３８の上部にはゴム等の環状の弾性シール材３７にて周縁部が支持された薄板７Ａが水
平状態に支持されている。薄板７Ａはスピーカ３の上面の振動部１６に当接または近接し
て、上面にアロマオイルの受容部６を形成するものであり、ピエゾ素子１５によって振動
部１６と共に薄板７Ａが振動する。このため、薄板７Ａもスピーカ３の一部を構成する状
態となる。
【００３４】
光源３３であるＬＥＤ３３Ａの光が外部から見えるようにするために、光源３３に対応
する薄板７Ａの部分は、上方へ盛り上がった透明または半透明の透光部７Ｐを形成してお
り、透光部７Ｐの周囲にドーナツ状のアロマオイルの受容部６が形成される状態となる。
環状の支持部材３８の外面には、上端開口８Ａを有するドーム状のカバー８が取り付けら
れ、カバー８は透明または半透明の透光性カバーであり、ＬＥＤ３３Ａの光が外部から見
える構成である。このため、カバー８によってＬＥＤ３３Ａの光が外部から見える状態で
、アロマオイルの受容部６の外周が上面板７の上面に区画される。
【００３５】
実施例１同様に、オーディオ装置５０を備えている。基板１２は、必要な電気配線がプ
リントされたものであり、実施例１ではピエゾ素子１５を取り付けたが、実施例２では上
記のようにピエゾ素子１５は支持板３６に取り付けられているため、その他のものとして
、実施例１同様に、インターフェース１７、ＣＰＵ１８、Ｄ／Ａ変換器１９、オーディオ
アンプ２０、スイッチ２８を含む各スイッチ等が取り付けられており、これらへ充電式電
池４からリード線２３を介して電源が供給されている。メモリ２は予め音楽データが記憶
されたものが基板１２に取り付けられた形態でもよいが、入浴する人が好みに応じた音楽
を聴くことができるようにするために、実施例１同様に、任意の音楽データを書き込んだ
メモリカード２Ａをカード差し込み部２４へ差し込み可能とする。カード差し込み部２４
は、浮遊箱５の側面上部に設けられ、差し込み口は防水カバー２５によって開閉できる構
成である。
【００３６】
実施例１同様に、オーディオ装置５０は、メモリ２に収録された音楽データに基づいて
音楽を再生しスピーカ３から発するために、メモリ２に収録された音楽データは、スイッ
チ２８のキー操作に応答してインターフェース１７を通してＣＰＵ１８によって読み出さ
れ、これをＤ／Ａ変換器１９によってアナログの音楽信号に変換され、この音楽信号がオ
ーディオアンプ２０によって増幅された後、スピーカ３から音楽として聞こえる。
【００３７】
スイッチ２８、２９、３０、３１の操作部２８Ａ、２９Ａ、３０Ａ、３１Ａは、実施例
１同様に、透光性カバー８の周辺に配置されている。スイッチ２８、２９、３０、３１に
対する防水のために、操作部２８Ａ、２９Ａ、３０Ａ、３１Ａは、防水性フィルムで覆わ
れた構成である。
【００３８】
このような構成において、浴槽用リラクゼーションフロート１は、充電式電池４等の重
量を利用して、浴槽内の湯に下部が没した状態で湯面ＰＬを保った安定浮遊状態となる。
浴槽用リラクゼーションフロート１は、操作部３１Ａを押して電源スイッチ３１をＯＮす
ることによって、予め設定された所定の状態で各ＬＥＤ３３Ａが発光し、また、オーディ
オ装置５０は所定の曲、例えば第１番目の曲を流すように動作する。２つの操作部２８Ａ
のうち一方がオーディオ装置５０のボリュームに相当し、他方の操作部２８Ａが選曲に相
当する。また、２つの操作部２９Ａのうち一方が各ＬＥＤ３３Ａの発光パターンの選択に
相当し、他方の操作部２９Ａがその発光輝度の調節に相当する。
【００３９】
オーディオ装置５０の動作によって、ピエゾ素子１５が動作し振動板７Ａの振動によっ
て音楽が再生される。このとき、受容部６に上端開口８Ａを通してアロマオイル容器から
アロマオイルを滴下しておくことにより、振動板７Ａの振動によって音楽に合わせたアロ
マオイルの振動が得られ、浴槽の雰囲気温度と相俟ってアロマオイルの蒸発が促進され、
蒸発した香気がドーム状カバー８の上端開口８Ａから浴室内に放散される。オーディオ装
置５０のボリュームの強弱調整は、一方の操作部２８Ａの操作によって行ない、且つ選曲
は他方の操作部２８Ａの操作によって行なうことにより、入浴者の好みに合わせた曲と音
量にすることができ、好みの音響状態で入浴をすることができる。
【００４０】
一方の操作部２９Ａの操作によってＬＥＤ３３Ａの発光パターンを選択し、他方の操作
部２９Ａによってその発光輝度を調節することにより、好みの照明状態で入浴をすること
ができる。これは、浴室の照明の調光用スイッチ３０の操作によって、浴室内の証明の照
度を低下または消灯した状態とすることによって、より一層の効果が得られる。
【００４１】
このように、スピーカ３によってこの受容部６に対応した浮遊箱５の上面を振動させる
ことにより、アロマオイルの香気の発生が音楽の強弱に合わせて促進され、音楽と、種々
変わるＬＥＤ３３Ａの発光色と、アロマオイルの香気とにより、聴覚、視覚、臭覚の三つ
の要素によるリラクゼーション効果が得られるものとなる。また、浴槽用リラクゼーショ
ンフロート１は、浴槽内に浮遊させるための小物であるため、配線等の電気工事が不要で
あり、感電の心配もない安全且つ取り扱いが容易である。
【００４２】
なお、操作部２８Ａ、２９Ａ、３０Ａ、３１Ａは、湯面ＰＬよりも上位となる浴槽用リ
ラクゼーションフロート１の上面部に配置されるため、防水構造の操作部が底面部に設け
られたものに比して、スイッチ操作を行なうために浴槽用リラクゼーションフロート１を
持ち上げ逆さまにすることもなく、スイッチ操作がし易く、且つ湯中に操作部が浸かって
いないので、防水構造も複雑化せず、比較的簡単なもので十分となる。また、他の構成は
、上記実施例１と同様である。
【産業上の利用可能性】
【００４３】
本発明は上記実施例に示した構成に限定されず、種々の形態の浴槽用リラクゼーション
フロートに適用できるものであり、本発明の技術範囲において種々の形態を包含するもの
である。
【図面の簡単な説明】
【００４４】
【図１】本発明に係る浴槽用リラクゼーションフロートの上面斜視図である。（実施例１）。
【図２】本発明に係る浴槽用リラクゼーションフロートの上面図である。（実施例１）。
【図３】本発明に係る浴槽用リラクゼーションフロートの下面斜視図である。（実施例１）。
【図４】本発明に係る浴槽用リラクゼーションフロートの中央部縦断側面図である。（実施例１）。
【図５】図４のスピーカ部とスイッチ部の拡大図である。（実施例１）。
【図６】本発明に係る浴槽用リラクゼーションフロートのオーディオ装置のブロック図である。（実施例１）。
【図７】本発明に係る浴槽用リラクゼーションフロートの光源とその制御部のブロック図である。（実施例１）。
【図８】本発明に係る浴槽用リラクゼーションフロートの他の形態を示す中央部縦断側面図である。（実施例２）。
【図９】本発明に係る浴槽用リラクゼーションフロートのカバーの斜視図である。（実施例２）。
【図１０】本発明に係る浴槽用リラクゼーションフロートの薄板と支持部分の斜視図である。（実施例２）。
【図１１】図８に示す浴槽用リラクゼーションフロートの上面図である。（実施例２）。
【符号の説明】
【００４５】
１・・・・浴槽用リラクゼーションフロート
２・・・・メモリ
２Ａ・・・メモリカード
３・・・・スピーカ
４・・・・充電式電池
５・・・・浮遊箱
６・・・・アロマオイルの受容部
７・・・・上面板
７Ａ・・・薄板
７Ｐ・・・透光部
８・・・・カバー
８Ａ・・・上端開口
１２・・・基板
１３・・・基板
１５・・・ピエゾ素子
１６・・・振動部
１７・・・インターフェース
１８・・・ＣＰＵ
１９・・・Ｄ／Ａ変換器
２０・・・オーディオアンプ
２１・・・制御部
２４・・・カード差し込み部
２５・・・防水カバー
２８、２９、３０、３１・・・・スイッチ
２８Ａ、２９Ａ、３０Ａ、３１Ａ・・・・スイッチの操作部
３３・・・光源
３３Ａ・・ＬＥＤ
４０・・・リラクゼーションユニット
４１・・・プラグ
４２・・・充電スタンド
４３・・・受電コイル
４４・・・送電コイル
【図１】
2010119562.tif 000003
【図２】
2010119562.tif 000004
【図３】
2010119562.tif 000005
【図４】
2010119562.tif 000006
【図５】
2010119562.tif 000007
【図６】
2010119562.tif 000008
【図７】
2010119562.tif 000009
【図８】
2010119562.tif 000010
【図９】
2010119562.tif 000011
【図１０】
2010119562.tif 000012
【図１１】
2010119562.tif 000013